(57)【特許請求の範囲】
【請求項１】
板状に形成された本体ベースと，
該本体ベースの一面側で保持され，アンテナが固定されるアンテナ支柱と，
前記本体ベースの前記アンテナ支柱が保持された側とは反対側に配置されて前記本体ベースとの間で前記構造物を挟持するためのあて板と，
前記構造物が前記本体ベース及び前記あて板にて挟持された状態で，前記本体ベースと前記あて板とを締結するためのボルト及びナットと，
を備え，前記構造物にアンテナを取付けるためのアンテナ取付け装置であって，
前記本体ベースは，断面が略直角となるように山状に折り曲げられた突起部と，該突起部の両端から夫々延出されて同一平面を形成する一対の平面部と，からなり，
前記本体ベースの突起部及び一対の平面部には，当該本体ベースを前記構造物に直接取付けるための取付孔が形成され，
前記一対の平面部の夫々には，前記ボルトを挿通するためのベース側ボルト孔が少なくとも２つ形成されており，前記各平面部に形成されたベース側ボルト孔のうちの各２つのベース側ボルト孔は，夫々，同じ平面部に形成された他の１つのベース側ボルト孔と，他方の平面部に形成されたベース側ボルト孔のうちの１つと，の間隔が等しくなるように配置され，
前記アンテナ支柱は，前記本体ベースの前記突起部の突出方向に向くように，前記突起部を形成する一対の傾斜部にて保持され，
前記本体ベースの突起部に形成された取付孔は，前記一対の傾斜部のそれぞれに，前記突起部の角部の延在方向に位置をずらして設けられた
ことを特徴とするアンテナ取付け装置。
【請求項２】
前記あて板は，断面略コの字状に形成されており，該コの字を形成する一対の平行な側板の略中央部には，丸柱に係合可能な湾曲部が夫々形成され，前記一対の側板を接続する底板の両端部には，前記ボルトを挿通するためのあて板側ボルト孔が夫々設けられたことを特徴とする請求項１に記載のアンテナ取付け装置。
【発明の詳細な説明】
【０００１】
【発明の属する技術分野】
本発明は，構造物にアンテナを取付ける装置に関する。
【０００２】
【従来の技術】
従来のアンテナ取付け装置は，壁面やフェンス等のアンテナを取付ける構造物に適切な取付け装置を選択する必要があった。
【０００３】
【発明が解決しようとする課題】
しかし，従来のアンテナ取付け装置によると，本体ベースが平面でできたものが多く，フェンスや壁面の角部や丸柱に取付けが出来なかった。また，本体ベースが平面であることで，ボルトを締め付けたときの本体ベース部の強度を増すため本体ベースの厚みを厚くする必要があった。そこで壁面やフェンス等だけでなく，壁面やフェンスの角部，丸柱にも取付ができ，且つ，強度のあるマルチユースなアンテナ取付け装置を提供することを課題とする。
【０００４】
【課題を解決するための手段】
上記課題を解決するために，請求項１の発明は，板状に形成された本体ベースと，該本体ベースの一面側で保持され，アンテナが固定されるアンテナ支柱と，前記本体ベースの前記アンテナ支柱が保持された側とは反対側に配置されて前記本体ベースとの間で前記構造物を挟持するためのあて板と，前記構造物が前記本体ベース及び前記あて板にて挟持された状態で，前記本体ベースと前記あて板とを締結するためのボルト及びナットと，を備え，前記構造物にアンテナを取付けるためのアンテナ取付け装置であって，前記本体ベースは，断面が略直角となるように山状に折り曲げられた突起部と，該突起部の両端から夫々延出されて同一平面を形成する一対の平面部と，からなり，前記本体ベースの突起部及び一対の平面部には，当該本体ベースを前記構造物に直接取付けるための取付孔が形成され，前記一対の平面部の夫々には，前記ボルトを挿通するためのベース側ボルト孔が少なくとも２つ形成されており，前記各平面部に形成されたベース側ボルト孔のうちの各２つのベース側ボルト孔は，夫々，同じ平面部に形成された他の１つのベース側ボルト孔と，他方の平面部に形成されたベース側ボルト孔のうちの１つと，の間隔が等しくなるように配置され，前記アンテナ支柱は，前記本体ベースの前記突起部の突出方向に向くように，前記突起部を形成する一対の傾斜部にて保持され，前記本体ベースの突起部に形成された取付孔は，前記一対の傾斜部のそれぞれに，前記突起部の角部の延在方向に位置をずらして設けられたことを特徴とする。
【０００５】
請求項２の発明は，請求項１に記載のアンテナ取付け装置において，あて板は，断面略コの字状に形成されており，コの字を形成する一対の平行な側板の略中央部には，丸柱に係合可能な湾曲部が夫々形成され，一対の側板を接続する底板の両端部には，前記ボルトを挿通するためのあて板側ボルト孔が夫々設けられたことを特徴とする。
【０００６】
【発明の実施の形態】
以下に，本発明を具体化した実施形態の１例を，図面を基に詳細に説明する。図１は装置をフェンスに取付ける例を示す外観斜視図である。このアンテナ取付け装置は，フェンスの外側から１本の丸柱でできた縦骨５０に当接する本体ベース１と，本体ベース１に溶接により保持されたパイプ状のアンテナ支柱２と，フェンスの内側からの縦骨５０の反対面に当接する２組のあて板３と，本体ベース１とあて板３とを締め付ける２組のＵ字ボルト４と４組の平ワッシャー５，スプリングワッシャー６，ナット７から構成されている。
【０００７】
本体ベース１は略正方形状の金属板の略中央付近を，アンテナ支柱２と平行に構造物の外側に向かって，断面略く字型に突起部８が形成される。その本体ベースの外面略中央部にはＬ字型のアンテナ支持柱が溶接により保持されている。
【０００８】
あて板３は長方形状の金属板の長辺を縦骨５０側に折り曲げて断面略コ字形に形成されるとともに，折り曲げられた金属板の略中央部には丸柱と当接するように湾曲部９を形成している。また，前記あて板３の両端部にはＵ字ボルト孔１０が設けられている。そして，丸柱でできた縦骨５０に本体ベース１とあて板３の湾曲部９を当接させ，Ｕ字ボルト４をあて板３のＵ字ボルト孔から本体ベース孔１１ａ，１１ｂ及び１１ｃ，１１ｄに通して，本体ベース１の表側から平ワッシャー５，スプリングワッシャー６，ナット７を締付け固定するよう構成される。
【０００９】
上記構成の装置によれば，本体ベース１は略正方形状の金属板の略中央付近を，アンテナ支柱２と平行に構造物の外側に向かって，断面略く字型に突起部８が形成されているので，丸柱でできた縦骨５０に取付けても本体ベース１と丸柱の当接する面積が，本体ベース１が平面の装置より増え，取付け強度が増す。また，本体ベースに前記突起部が形成されたことにより，本体ベースの強度も増す。
【００１０】
次に本発明のアンテナ取付け装置の，第２の使用例として図２を参照して説明する。尚，以下の説明では，上記第１の実施形態のアンテナ取付け装置と同様の構成要素については同一符号を付与し，詳細な説明は省略する。
【００１１】
上述のように，本願の装置の本体ベース１は略正方形状の金属板の略中央付近を，アンテナ支柱と平行に構造物の外側に向かって，断面略く字型に形成された突起部８を有しているので，建物や柱の角部５１にも取付けられる。まず，あて板３，Ｕ字ボルト４，平ワッシャー５，スプリングワッシャー６，ナット７を本体ベース１から外し，本体ベース１の突起部８の内面側を柱の角部５１に当接させる。傾斜部１５には角部取付孔１２が設けられており，角部取付孔１２を通して木ねじ１２又はくぎ等で角部５１に固定する。本願の実施例における角部取付孔１２は４箇所であり，それぞれの位置は，木ねじ１３又はくぎ等で締め付けたときにぶつからないよう，位置をそれぞれずらして設けてある。角部取付孔１２は上記箇所に限定されるものではなく，必要に応じ適宜設けても良い。
【００１２】
本願の装置の本体ベース１は略正方形状の金属板の略中央付近を，アンテナ支柱と平行に構造物の外側に向かって，断面略く字型に形成された突起部８を有しているとともに，本体ベース１は，平面部１４も設けられ，平面部１４は壁面取付孔１６を形成していることから，壁面や柱等の平面にも木ねじ１３又はくぎ等で固定できるばかりでなく，あて板３の取付け方向を金属板の長辺の折り曲げ方向が縦骨の反対側になるよう組付け直す事で，フェンスの複数の縦骨にも固定できる。本願の実施例における壁面取付孔１６は４箇所に設けてあるが，これに限定されるものでなく必要に応じ適宜設けても良い。
また，図３に示すように本体ベース孔１１ａ，１１ｂ及び１１ｃ，１１ｄ間のピッチと，本体ベース孔１１ａ，１１ｃ及び１１ｂ，１１ｄ間のピッチを同じになるよう形成されているため，Ｕ字ボルト４を本体ベース孔１１ａ，１１ｃ及び１１ｂ，１１ｄに通すことで，フェンスの横骨５２にも固定できる。
【００１３】
上述のように，本願の装置の本体ベース１には略正方形状の金属板の略中央付近を，アンテナ支柱と平行に構造物の外側に向かって，断面略く字型に形成された突起部８を有していることで，本願の装置１つで取付け場所を選ばず簡単に衛星放送受信用パラボラアンテナの設置が可能となる。
尚，本願は上記実施形態に限定されるものではなく，本発明の趣旨を逸脱しない範囲で各部の形状並びに構成を適宜に変更して実施することも可能である。
【００１４】
以上詳述したように，請求項１，２の発明によれば，本体ベースを，断面が略直角となるように山状に折り曲げられた突起部と，この突起部の両端から夫々延出されて同一平面を形成する平面部と，により構成し，本体ベースの突起部及び平面部には，当該本体ベースを構造物に直接取付けるための取付孔を形成したので，強度があり，壁面やフェンスの角部や，丸柱にも取付可能となるアンテナ取付け装置を提供できる。
【図面の簡単な説明】
【図１】  本発明に係るアンテナ取付け装置のフェンスの縦骨への使用例を示す。
【図２】  本発明に係るアンテナ取付け装置の柱の角部への使用例を示す。
【図３】  本発明に係るアンテナ取付け装置のフェンスの横骨への使用例を示す。
【図４】  従来のアンテナ取付金具。
【符号の説明】
１…本体ベース，２…アンテナ支柱，３…あて板，４…Ｕ字ボルト，５…平ワッシャー，６…スプリングワッシャー，７…ナット，８…突起部，９…湾曲部，１０…Ｕ字ボルト孔，１１…本体ベース孔，１２…角部取付孔１２，１３…木ねじ，１４…平面部，１５…傾斜部，１６…壁面取付孔，５０…縦骨，５１…角部，５２…横骨，５３…丸柱
【図１】
0004478364.tif 000002
【図２】
0004478364.tif 000003
【図３】
0004478364.tif 000004
【図４】
0004478364.tif 000005